(57)【要約】【課題】プレゼンテーションにおいて説明漏れを防止できる装置としてコンピュータを機能させるプレゼンテーション用プログラムと、プレゼンテーションにおいて説明漏れを防止できるプレゼンテーション用装置とを、提供する。【解決手段】コンピュータ１０は、プロジェクタ２０に対して原稿データ１１に基づくページをスクリーンに表示させる間、マイクロフォン３０から取得される音声データをテキストデータへ変換して発言テーブル１３に記録する。また、コンピュータ１０は、次頁へ表示を切り替える指示を入力装置１０ｃにおいて受けると、この頁に対応するキーワードを検索条件としてテキストデータを検索し、何れかのキーワードが検出できなかった場合には、表示中の原稿画面上に警告を出力する。【選択図】    図５
2004288008.tif 000002
【特許請求の範囲】
【請求項１】
プレゼンテーションの発表順に従って頁数が割り当てられた多数の原稿データ，及び、前記各原稿データの頁数とその原稿データに基づく原稿画面を用いて発表されるべき内容に含まれる幾つかのキーワードとを対応付けるテーブルを記録している記録装置，前記原稿画面を表示するための表示装置，並びに、入力される音声を音声データに変換するマイクロフォンに繋がれるコンピュータに対するプレゼンテーション用プログラムであって、
前記コンピュータに対し、
何れかの頁数の原稿データに基づいて前記表示装置に原稿画面が表示されると、前記マイクロフォンから取得される音声データのテキストデータへの変換を開始するステップ、
前記表示装置に表示中の原稿画面を次の頁数の原稿画面へ切り替える指示を受けると、音声データのテキストデータへの変換を停止するステップ、
音声データのテキストデータへの変換を停止すると、当該頁数に対応するキーワードを前記記録装置内のテーブルから読み出すステップ、
読み出した前記キーワードを検索条件として前記テキストデータを検索するステップ、及び、
前記テキストデータから前記キーワードが全て検出された場合には、当該頁数の次の頁数の原稿データを前記記録装置から読み出し、その原稿データに基づく原稿画面の表示を前記表示装置に指示し、
前記テキストデータから何れかの前記キーワードが検出できなかった場合には、前記表示装置に表示されている当該頁数の原稿画面上に、警告を出力するステップ
を実行させる
ことを特徴とするプレゼンテーション用プログラム。
【請求項２】
前記コンピュータに対し、前記表示装置に表示中の原稿画面上に警告を出力させた後、更に、
前記表示装置に表示中の原稿画面を次の頁数の原稿画面へ切り替える指示を受けるまで、音声データのテキストデータへの変換を実行させるステップ
を有する
ことを特徴とする請求項１記載のプレゼンテーション用プログラム。
【請求項３】
前記記録装置に記録されているテーブルでは、前記各原稿データの頁数とその原稿データに基づく原稿画面を用いて発表されるべき内容に含まれる幾つかのキーワードとともに、更に、それらキーワードの前記原稿画面内での位置を定義する位置情報が対応付けられ、
前記コンピュータに対し、前記表示装置に表示中の原稿画面上に警告を出力させる際には、前記テキストデータから検出できなかったキーワードに対応する位置情報を前記テーブルから読み出すステップ、及び、
前記表示装置に表示中の原稿画面における前記位置情報にて示される位置に、前記警告を提示するステップ
を有する
ことを特徴とする請求項１又は２記載のプレゼンテーション用プログラム。
【請求項４】
プレゼンテーションの発表順に従って頁数が割り当てられている多数の原稿画面を、操作者からの指示に従って順に表示装置に表示させるプレゼンテーション用装置であって、
何れかの頁数の原稿が前記表示装置に表示されると、マイクロフォンが音声から生成した音声データをテキストデータへ変換するテキストデータ変換部と、
前記表示装置に表示中の原稿画面を次の頁数の原稿画面へ移行する指示を受けると、音声データのテキストデータへの変換を停止し、
当該頁数の原稿画面を用いて発表されるべき内容に含まれる幾つかのキーワードを検索条件として前記テキストデータを検索するテキストデータ検索部と、
前記テキストデータから前記キーワードが全て検出できた場合には、当該頁数の次の頁数の原稿画面の表示を前記表示装置に指示し、
前記テキストデータから何れかの前記キーワードが検出できなかった場合には、前記表示装置に表示中の原稿画面上に警告を出力する出力部と
を有することを特徴とするプレゼンテーション用装置。
【発明の詳細な説明】
【０００１】
【発明の属する技術分野】
本発明は、プロジェクタシステムや大型ディスプレイ等の表示装置にプレゼンテーション用原稿を表示するための装置としてコンピュータを機能させるプレゼンテーション用プログラムと、プレゼンテーション用原稿をプロジェクタシステム等の表示装置に出力するためのプレゼンテーション用装置とに、関する。
【０００２】
【従来の技術】
従来、コンピュータ上で作成されたプレゼンテーション用原稿は、透明フィルム等に印字され、その透明フィルムがＯＨＰ［Ｏｖｅｒ  Ｈｅａｄ  Ｐｒｏｊｅｃｔｏｒ］等の投影装置に載せられることにより、スクリーンに投影されていた。しかし、最近では、プロジェクタシステムや大型ディスプレイ等の表示装置をコンピュータに接続することにより、コンピュータ上で作成されたプレゼンテーション用原稿を表示装置に直接表示できるようになってきた。
【０００３】
周知のように、プレゼンテーション用原稿を表示装置に直接表示するためには、コンピュータにいわゆるプレゼンテーションソフトウエアをインストールする必要がある。プレゼンテーションソフトウエアには、プレゼンテーション用原稿の何れか１頁を表示装置に表示させるとともに改頁入力を受け付けるたびに表示中の頁を次頁に順次切り替えるいわゆるスライドショー機能が、備えられており、さらに、その付加的な機能として、原稿編集機能や、図表やグラフの作成機能が、備えられている。なお、一般に提供されているプレゼンテーションソフトウエアとしては、米国マイクロソフト社が開発したパワーポイント（米国マイクロソフト社商標）がある。
【０００４】
また、プレゼンテーションにおける原稿の改ページ、スライドの切り替え、時間配分等をより容易に行うことができるようにする技術として、原稿作成部より作成された原稿データから、キーワードを抽出するとともに、音声入力部より入力された音声から、キーワードを認識することにより、音声認識部の認識率に対応して、原稿のページの表示を制御するものもある（例えば特許文献１参照）。
【０００５】
【特許文献１】
特開平１１−２５９２６９号公報
【０００６】
【発明が解決しようとする課題】
ところで、プレゼンテーションに不慣れな者や人前で上がり易い者は、発表前に考えておいた説明すべきことを発表中に失念することによって、或いは、原稿に書いておいた説明すべきことを発表中に読み忘れることによって、説明漏れをする場合があった。また、コンピュータの操作に不慣れな者が、プレゼンテーション中にその操作に熱中することによって、説明漏れをする場合もあった。これらのように説明漏れがあると、プレゼンテーションを聴いている者が、その内容を完全に把握できなかったり、ぎこちない説明であると感じてしまったりすることになる。また、全ての説明を終えてから次頁へ進めたいとの発表者の当初の意図に反して頁が切り替ってしまうことにもなる。
【０００７】
本発明は、上述したような従来の事情に鑑みてなされたものであり、その課題は、プレゼンテーションにおいて説明漏れを防止できる装置としてコンピュータを機能させるプレゼンテーション用プログラムと、プレゼンテーションにおいて説明漏れを防止できるプレゼンテーション用装置とを、提供することにある。
【０００８】
【課題を解決するための手段】
上記の課題を解決するために、本発明によるプレゼンテーション用プログラムは、以下のような構成を採用した。
【０００９】
すなわち、本発明によるプレゼンテーション用プログラムは、プレゼンテーションの発表順に従って頁数が割り当てられた多数の原稿データ，及び、前記各原稿データの頁数とその原稿データに基づく原稿画面を用いて発表されるべき内容に含まれる幾つかのキーワードとを対応付けるテーブルを記録している記録装置，前記原稿画面を表示するための表示装置，並びに、入力される音声を音声データに変換するマイクロフォンに繋がれるコンピュータに対するプレゼンテーション用プログラムであって、前記コンピュータに対し、何れかの頁数の原稿データに基づいて前記表示装置に原稿画面が表示されると、前記マイクロフォンから取得される音声データのテキストデータへの変換を開始するステップ、前記表示装置に表示中の原稿画面を次の頁数の原稿画面へ切り替える指示を受けると、音声データのテキストデータへの変換を停止するステップ、音声データのテキストデータへの変換を停止すると、当該頁数に対応するキーワードを前記記録装置内のテーブルから読み出すステップ、読み出した前記キーワードを検索条件として前記テキストデータを検索するステップ、及び、前記テキストデータから前記キーワードが全て検出された場合には、当該頁数の次の頁数の原稿データを前記記録装置から読み出し、その原稿データに基づく原稿画面の表示を前記表示装置に指示し、前記テキストデータから何れかの前記キーワードが検出できなかった場合には、前記表示装置に表示されている当該頁数の原稿画面上に、警告を出力するステップを実行させることを、特徴としている。
【００１０】
このように構成されると、表示装置に表示中の原稿画面を用いて発表する際に口述せねばならない内容のキーワードが、マイクロフォンを通じてテキストデータとして記録装置に記録されるとともに、表示中の原稿画面を次頁の原稿画面へ切り替える指示を受けたときに、表示中の原稿画面を用いた発表において説明すべき全てのキーワードが記録装置に記録されていない場合には、説明すべき内容が全て口述されていないとして、表示中の原稿画面上に警告が出力される。このため、コンピュータを操作してプレゼンテーションを行う者は、原稿画面を次頁へ切り替える操作を行うだけで、説明漏れがあることを簡単に知ることができ、漏らした内容を後から説明することができる。
【００１１】
また、上記の課題を解決するために、本発明によるプレゼンテーション用装置は、以下のような構成を採用した。
【００１２】
すなわち、本発明によるプレゼンテーション用装置は、プレゼンテーションの発表順に従って頁数が割り当てられている多数の原稿画面を、操作者からの指示に従って順に表示装置に表示させるプレゼンテーション用装置であって、何れかの頁数の原稿が前記表示装置に表示されると、マイクロフォンが音声から生成した音声データをテキストデータへ変換するテキストデータ変換部と、前記表示装置に表示中の原稿画面を次の頁数の原稿画面へ移行する指示を受けると、音声データのテキストデータへの変換を停止し、当該頁数の原稿画面を用いて発表されるべき内容に含まれる幾つかのキーワードを検索条件として前記テキストデータを検索するテキストデータ検索部と、前記テキストデータから前記キーワードが全て検出できた場合には、当該頁数の次の頁数の原稿画面の表示を前記表示装置に指示し、前記テキストデータから何れかの前記キーワードが検出できなかった場合には、前記表示装置に表示中の原稿画面上に警告を出力する出力部とを有することを、特徴としている。
【００１３】
従って、このプレゼンテーション用装置は、上述した本発明のプレゼンテーション用プログラムを実行したコンピュータと同様に機能することになる。
【００１４】
【発明の実施の形態】
以下、図面に基づいて本発明の実施の形態を説明する。
【００１５】
図１は、本発明が適用されたコンピュータ１０を概略的に示す構成図である。図１に示されるように、このコンピュータ１０は、ＣＰＵ［Ｃｅｎｔｒａｌ  Ｐｒｏｃｅｓｓｉｎｇ  Ｕｎｉｔ］１０ａ，ＲＡＭ［Ｒａｎｄｏｍ  Ａｃｃｅｓｓ  Ｍｅｍｏｒｙ］１０ｂ，入力装置１０ｃ，ビデオ制御装置１０ｄ，音源制御装置１０ｅ，ＦＤＤ［Ｆｌｅｘｉｂｌｅ  Ｄｉｓｋ  Ｄｒｉｖｅ］１０ｆ，ＣＤＤ［Ｃｏｍｐａｃｔ  Ｄｉｓｋ  Ｄｒｉｖｅ］１０ｇ，及びＨＤＤ［Ｈａｒｄ  Ｄｉｓｋ  Ｄｒｉｖｅ］１０ｈを、備えている。
【００１６】
ＣＰＵ１０ａは、このコンピュータ１０全体を制御する中央処理装置である。ＲＡＭ１０ｂは、ＣＰＵ１０ａが各種プログラムを実行するに際しての作業領域が展開される主記憶装置である。入力装置１０ｃは、オペレータからの入力を受け付けるための装置であり、具体的にはキーボードやマウスやタッチスクリーンである。ビデオ制御装置１０ｄは、ＣＰＵ１０ａによって生成された画面データを画像信号の形態で外部表示装置へ出力するためのインターフェース装置であり、具体的にはビデオボードやグラフィックアダプタである。本実施形態では、外部表示装置として、所定のスクリーンに対して画像を投影するプロジェクタシステムが用意されており、このビデオ制御装置１０ｄには、プロジェクタシステム内のプロジェクタ２０が、接続されている。音源制御装置１０ｅは、アナログ信号の形態で外部から入力される音声データをデジタル信号の形態に変換してＣＰＵ１０ａに引き渡すインターフェース装置である。本実施形態では、この音源制御装置１０ｅには、入力される音声を音声データに変換してアナログ信号の形態で出力するマイクロフォン３０が、接続されている。ＦＤＤ１０ｆ及びＣＤＤ１０ｇは、コンピュータ可読媒体であるフレキシブルディスクＦＤやコンパクトディスクＣＤに対してデータやプログラムを読み書きする装置である。ＦＤＤ１０ｆ及びＣＤＤ１０ｇによって各ディスクから読み出されたデータやプログラムは、ＨＤＤ１０ｈにインストールされる。
【００１７】
ＨＤＤ１０ｈは、ＣＰＵ１０ａによってＲＡＭ１０ｂ上に読み出されて実行される各種プログラムを格納している記憶装置である。このＨＤＤ１０ｈが格納しているデータには、原稿データ１１，キーワードテーブル１２，及び発言テーブル１３が、含まれている。また、このＨＤＤ１０ｈが格納しているプログラムには、ハードウエアとソフトウエアを統合的に制御するオペレーティングシステムプログラムの他、プレゼンテーションプログラム１４が、含まれている。以下、原稿データ１１，各テーブル１２，１３，及びプレゼンテーションプログラム１４について、順に説明する。
【００１８】
原稿データ１１は、プレゼンテーション用原稿と同じ内容の原稿画面を表示装置に表示させるための電子データである。この原稿データ１１は、プレゼンテーションを行う発表者によって事前に作成されるデータである。なお、この原稿データ１１は、図示せぬ編集プログラムが用いられることによってコンピュータ１０上において作成されたものであっても良いし、他のコンピュータ上において作成された後、フレキシブルディスクＦＤやコンパクトディスクＣＤを介してＨＤＤ１０ｈにインストールされたものであっても良い。原稿データ１１は、上記発表者が行うプレゼンテーションの内容に応じて作成された原稿の枚数と同じ数だけ、作成されており、各原稿データには、プレゼンテーションの発表順に従って各原稿に割り当てられている頁数と同じ頁数が、割り当てられている。図２には、原稿データ１１に基づく原稿画面がプロジェクタ２０によってスクリーンに映し出されたときの一例が、示されている。図２に示される原稿画面は、三つの段落を有している。また、図２には示されていないが、各段落には、テキストや図表がグラフが、記載されている。
【００１９】
キーワードテーブル１２は、原稿データ１１に基づく原稿画面を用いて上記発表者が発表する際に口述すべき内容のキーワードが記録されるテーブルである。なお、このキーワードテーブル１２は、一回のプレゼンテーション用として作成された多数の原稿データ１１の集合に対し、１つ作成される。従って、原稿データ１１の集合が、数組作成されている場合には、その組数だけキーワードテーブル１２が用意される。図３は、このキーワードテーブル１２のデータ構造を説明するために作成された表である。図３に示されるように、キーワードテーブル１２は、「頁」，「段落」，「キーワード」，「チェック」，「Ｘ座標」及び「Ｙ座標」の項目欄（フィールド）からなるレコードをキーワード毎に作成することによって、構成されている。「頁」には、各キーワードが属する原稿データ１１に割り当てられている頁数が、記録される。「段落」には、各キーワードが属する原稿データ１１においてそのキーワードを説明すべき段落の段落番号が、記録される。「キーワード」には、各キーワードが記録される。「チェック」には、各キーワードが口述されたか否かを識別するための情報が、記録される。なお、キーワードが口述された場合、この「チェック」には“１”が記録され、キーワードが口述されていない場合、この「チェック」は空欄のままとなる。「Ｘ座標」及び「Ｙ座標」には、各キーワードの原稿画面内での記載位置についてのＸ座標及びＹ座標が、記録される。
【００２０】
発言テーブル１３は、後述するプレゼンテーションプログラム１４によって作成されるテキストデータを記録するためのテーブルである。図４は、この発言テーブル１３のデータ構造を説明するために作成された表である。図４に示されるように、発言テーブル１３は、「発言内容」及び「ポインタ」の項目欄からなるレコードをテキストデータ毎に作成することによって、構成されている。「発言内容」には、各テキストデータが記録され、「ポインタ」には、後述するプレゼンテーションプログラム１４によってテキストデータが検索済であるか否かを示す情報が、記録される。なお、テキストデータが検索済であった場合、この「ポインタ」にはチェックマークが記録され、テキストデータが検索済でない場合、この「ポインタ」は空欄のままとなる。
【００２１】
プレゼンテーションプログラム１４は、図５を参照して後述する処理内容をＣＰＵ１０ａに実行させるプログラムであり、さらに、マイクロフォン３０から取得した音声データをテキストデータに変換するための音声認識モジュール，及び、所定の抽出条件に基づいてテキストデータ内を検索するための検索モジュールを、備えている。
【００２２】
以下、以上のように構成されるコンピュータ１０において実行される処理の内容について説明する。
【００２３】
コンピュータ１０では、入力装置１０ｃからプレゼンテーションプログラム１４の実行開始の指示が入力されると、ＣＰＵ１０ａがプレゼンテーションプログラム１４を読み込み、プレゼンテーション処理が開始される。図５は、そのプレゼンテーション処理の内容を示すフローチャートである。
【００２４】
プレゼンテーション処理の開始後、最初のＳ１０１では、ＣＰＵ１０ａは、初期化処理を行う。具体的には、ＣＰＵ１０ａは、キーワードテーブル１２における全レコードの「チェック」をクリアして全て空欄にするとともに、発言テーブル１３内をクリアし、更に、その発言テーブル１３内に、「発言内容」及び「ポインタ」が空欄である新たなレコードを作成する。
【００２５】
次のＳ１０２では、ＣＰＵ１０ａは、変数ｔに１を代入し、処理をＳ１０３へ進める。。
【００２６】
Ｓ１０３では、ＣＰＵ１０ａは、変数ｔに代入されている頁数の原稿データ１１をＨＤＤ１０ｈから読み出し、その原稿データ１１に基づく原稿画面をスクリーンに映し出すようにプロジェクタ２０に対して指示する。
【００２７】
次のＳ１０４では、ＣＰＵ１０ａは、発言内容を記録する処理を開始する。具体的には、ＣＰＵ１０ａは、マイクロフォン３０から順次入力される音声データをテキストデータに変換しながら発言テーブル１３の最新レコードの「発言内容」にそのテキストデータを順次記録する処理を、実行する。
【００２８】
次のＳ１０５では、ＣＰＵ１０ａは、表示中の原稿画面を次頁の原稿画面へ切り替える指示を入力するための次頁キーが押下（又はクリック）されたか否かを、判別する。そして、ＣＰＵ１０ａは、次頁キーが押下されていなかった場合には、処理をＳ１０４へ戻す。
【００２９】
Ｓ１０４及びＳ１０５の処理ループの実行中、次頁キーが押下された場合には、ＣＰＵ１０ａは、処理をＳ１０５からＳ１０６へ分岐させる。
【００３０】
Ｓ１０６では、ＣＰＵ１０ａは、発言内容を記録する処理を停止する。つまり、ＣＰＵ１０ａは、音声データをテキストデータへ変換して発言テーブル１３に記録する処理を停止する。
【００３１】
次のＳ１０７では、ＣＰＵ１０ａは、変数ｔに代入されている頁数に対応するキーワードを、キーワードテーブル１２から読み出す。
【００３２】
次のＳ１０８では、ＣＰＵ１０ａは、Ｓ１０７において読み出したキーワードを検索条件として、Ｓ１０４において発言テーブル１３の最新レコードの「発言内容」に記録されたテキストデータを、検索する。
【００３３】
次のＳ１０９では、ＣＰＵ１０ａは、Ｓ１０８における検索によってテキストデータからキーワードが検出された場合に、検出されたキーワードを含むキーワードテーブル１２内のレコードの「チェック」に“１”を記録する。
【００３４】
次のＳ１１０では、ＣＰＵ１０ａは、発言テーブル１３における最新レコードの「ポインタ」にチェックマークを記録する。
【００３５】
次のＳ１１１では、ＣＰＵ１０ａは、キーワードテーブル１２を参照して、変数ｔに代入されている頁数を持つ全てのレコードの「チェック」に“１”が記録されているか否かを、判別する。そして、ＣＰＵ１０ａは、当該頁数を持つ全てのレコードの「チェック」に“１”が記録されていなかった場合には、処理をＳ１１２へ進める。
【００３６】
Ｓ１１２では、ＣＰＵ１０ａは、キーワードテーブル１２を参照して、変数ｔに代入されている頁数を持つレコードのうち、「チェック」に“１”が記録されていないレコードを特定し、特定したレコードの「Ｘ座標」及び「Ｙ座標」からＸ座標及びＹ座標をキーワードの位置情報として読み出す。
【００３７】
次のＳ１１３では、ＣＰＵ１０ａは、Ｓ１１２において読み出した位置情報の示す原稿画面上での位置に警告としてキーワードを表示し、処理をＳ１１５へ進める。
【００３８】
一方、Ｓ１１１において、変数ｔに代入されている頁数を持つ全てのレコード「チェック」に“１”が記録されていた場合には、ＣＰＵ１０ａは、処理をＳ１１４へ進める。
【００３９】
Ｓ１１４では、ＣＰＵ１０ａは、変数ｔを１だけインクリメントし、処理をＳ１１５へ進める。
【００４０】
Ｓ１１５では、ＣＰＵ１０ａは、変数ｔに代入されている頁数がキーワードテーブル１２に記録されている最大の頁数よりも大きいか否かを、判別する。そして、変数ｔに代入されている頁数がキーワードテーブル１２に記録されている最大の頁数以下であった場合には、ＣＰＵ１０ａは、処理をＳ１１６へ進める。
【００４１】
Ｓ１１６では、ＣＰＵ１０ａは、発言テーブル１３内に、「発言内容」及び「ポインタ」が空欄である新たなレコードを作成し、処理をＳ１０３へ戻す。
【００４２】
Ｓ１０３〜Ｓ１１６の処理ループの実行中、変数ｔに代入されている頁数がキーワードテーブル１２に記録されている最大の頁数よりも大きくなった場合には、ＣＰＵ１０ａは、処理をＳ１１５から分岐させ、プレゼンテーション処理を終了する。
【００４３】
以上に示されるプレゼンテーション処理がコンピュータ１０において実行されるため、このコンピュータ１０は、以下に説明するように作用する。
【００４４】
プレゼンテーションを行なう発表者は、まず、プロジェクタ２０をスクリーンに向けてセットするとともに、コンピュータ１０にプロジェクタ２０とマイクロフォン３０とを接続した後、マイクロフォン３０を手に持つ（或いは胸に取り付ける）。続いて、発表者は、コンピュータ１０の入力装置１０ｃを操作して、プレゼンテーションプログラム１４を立ち上げる。すると、スクリーンには、図２に示されるようなプレゼンテーション用の原稿画面が、映し出される（Ｓ１０３）。そして、発表者は、その原稿画面を用いて説明すべき内容を口述すると同時に、その口述内容をマイクロフォン３０を通じて発言テーブル１３に記録する（Ｓ１０４）。そして、その原稿画面を用いた説明を一通り終えた後、次頁キーを押下すると（Ｓ１０５）、コンピュータ１０では、表示中の原稿画面を用いた説明において口述すべきキーワードが全て発言されているか否かが、確認され（Ｓ１０７〜Ｓ１１１）、キーワードが全て発言されていた場合には、次頁の原稿画面がスクリーンに映し出され（Ｓ１１１；ＹＥＳ，Ｓ１１４〜Ｓ１１６）、キーワードが全て発言されていなかった場合には（Ｓ１１１；ＮＯ）、図６に示されるように、原稿画面の所定の位置にキーワードが警告として表示される（Ｓ１１２，Ｓ１１３）。続いて、表示中の原稿画面が改頁されることなく、同じ原稿画面についての発言内容の記録が開始され（Ｓ１１６，Ｓ１０３，Ｓ１０４）、再度、次頁キーが押下された場合に（Ｓ１０５；ＹＥＳ）、残りのキーワードが全て発言されているか否かが、再確認される（Ｓ１０７〜Ｓ１１１）。従って、発表者は、次頁キーを押下するだけで、説明漏れがあることを簡単に知ることができる。然も、説明漏れをしてしまった箇所と、漏らしたキーワードとを、原稿画面上において知ることができるので、漏らした内容を後から的確に説明することができる。
【００４５】
【発明の効果】
以上に説明したように、本発明によれば、プレゼンテーションにおいて説明漏れを防止することができる。
【図面の簡単な説明】
【図１】本実施形態のコンピュータを概略的に示す構成図
【図２】原稿データに基づくページの表示例
【図３】キーワードテーブルのデータ構造を示す表
【図４】発言テーブルのデータ構造を示す表
【図５】プレゼンテーション処理の内容を示すフローチャート
【図６】警告が表示されたページの表示例
【符号の説明】
１０    コンピュータ
１０ａ  ＣＰＵ
１０ｂ  ＲＡＭ
１０ｃ  入力装置
１０ｄ  ビデオ制御装置
１０ｅ  音源制御装置
１０ｆ  ＦＤＤ
１０ｇ  ＣＤＤ
１０ｈ  ＨＤＤ
１１    原稿データ
１２    キーワードテーブル
１３    発言テーブル
１４    プレゼンテーションプログラム
【図１】
2004288008.tif 000003
【図２】
2004288008.tif 000004
【図３】
2004288008.tif 000005
【図４】
2004288008.tif 000006
【図５】
2004288008.tif 000007
【図６】
2004288008.tif 000008